(57)【特許請求の範囲】
【請求項１】
認可帯域および無認可帯域上でトラフィックを割り当てるための方法であって、
送信ポイントと受信ポイントとの間に延びる統合無線インターフェースを識別するステップであって、前記統合無線インターフェースはセルラー通信用に認可されている主要帯域と無認可通信用に確保されている補完帯域の両方に及ぶ無線信号を伝送するように適応され、前記主要帯域と前記補完帯域の両方に同じ無線アクセス技術(RAT)が使用される、ステップと、
スケジューラによって、前記統合無線インターフェース上で伝達されるトラフィックのためのトラフィック割り振りを生成するステップであって、前記トラフィック割り振りは前記トラフィックのサービス品質(QoS)パラメータに従って前記主要帯域または前記補完帯域のいずれかで伝送されるように前記トラフィックを割り振る、ステップと、
前記トラフィック割り振りを前記送信ポイントまたは前記受信ポイントに伝達するステップとを含む方法。
【請求項２】
前記トラフィック割り振りは、前記トラフィックが決定論的QoS制約に関連付けられているときに、前記主要帯域上で伝送されるように前記トラフィックを割り振る請求項1に記載の方法。
【請求項３】
前記トラフィック割り振りは、前記補完帯域が前記トラフィックの統計的QoS制約を満たすことができるときに、前記補完帯域上で伝送されるように前記トラフィックを割り振り、前記トラフィック割り振りは、前記補完帯域が前記トラフィックの統計的QoS制約を満たすことができないときに、前記主要帯域上で伝送されるように前記トラフィックを割り振る請求項2に記載の方法。
【請求項４】
前記トラフィック割り振りは、前記トラフィックのQoS制約が基準を満たしたときに、前記主要帯域上で伝送されるように前記トラフィックを割り振り、
前記トラフィック割り振りは、前記トラフィックの前記QoS制約が前記基準を満たさないとき、かつ前記補完帯域のチャネル状態が前記トラフィックの前記QoS制約を満たすのに十分であるときに、前記補完帯域上で伝送されるように前記トラフィックを割り振り、前記トラフィック割り振りは、前記補完帯域の前記チャネル状態が前記トラフィックの前記QoS制約を満たすのに十分でないときに、前記主要帯域上で伝送されるように前記トラフィックを割り振る請求項1に記載の方法。
【請求項５】
前記QoS制約は、待ち時間要件、ジッタ要件、パケット順序付け要件、パケットドロップ率、スループット要件、および誤り率のうちの少なくとも1つを含む請求項4に記載の方法。
【請求項６】
前記トラフィックの前記QoS制約は、前記トラフィックの待ち時間要件が閾値を超えたときに、または前記トラフィックのジッタ要件が閾値を超えたときに、前記基準を満たす請求項5に記載の方法。
【請求項７】
スケジューラであって、
プロセッサと、
前記プロセッサによる実行のためのプログラミングを記憶するコンピュータ可読記憶媒体であって、前記プログラミングは請求項1から6のいずれか一項に記載の方法における動作を実現するための命令を含む、コンピュータ可読記憶媒体とを備えるスケジューラ。
【請求項８】
認可帯域および無認可帯域上でトラフィックを伝達するための方法であって、
送信ポイントと受信ポイントとの間に延びる統合無線インターフェースを確立するステップであって、前記統合無線インターフェースはセルラー通信用に認可されている主要帯域と無認可通信用に確保されている補完帯域の両方に及ぶ無線信号を伝送するように適応され、前記主要帯域と前記補完帯域の両方に同じ無線アクセス技術(RAT)が使用される、ステップと、
スケジューラからトラフィック割り振りを受信するステップであって、前記トラフィック割り振りは、前記統合無線インターフェース上で伝達されるトラフィックを前記トラフィックのサービス品質(QoS)パラメータに従って前記主要帯域または前記補完帯域のいずれかに割り振る、ステップと、
前記トラフィック割り振りに従ってデータを前記統合無線インターフェース上で伝達するステップとを含む方法。
【請求項９】
前記トラフィック割り振りは、前記トラフィックのQoS制約が基準を満たしたときに、前記主要帯域上で伝送されるように前記トラフィックを割り振り、
前記トラフィック割り振りは、前記トラフィックの前記QoS制約が前記基準を満たさないとき、かつ前記補完帯域のチャネル状態が前記トラフィックの前記QoS制約を満たすのに十分であるときに、前記補完帯域上で伝送されるように前記トラフィックを割り振る請求項8に記載の方法。
【請求項１０】
前記トラフィック割り振りは、前記補完帯域の前記チャネル状態が前記トラフィックの前記QoS制約を満たすのに十分でないときに、前記主要帯域上で伝送されるように前記トラフィックを割り振る請求項9に記載の方法。
【請求項１１】
前記QoS制約は、待ち時間要件、ジッタ要件、パケット順序付け要件、パケットドロップ率、スループット要件、および誤り率のうちの少なくとも1つを含む請求項10に記載の方法。
【請求項１２】
前記トラフィックの前記QoS制約は、前記トラフィックの待ち時間要件が閾値を超えたときに、または前記トラフィックのジッタ要件が閾値を超えたときに、前記基準を満たす請求項10に記載の方法。
【請求項１３】
前記トラフィック割り振りに従ってデータを前記統合無線インターフェース上で伝達するステップは、
前記送信ポイントによって、前記受信ポイントに宛てられた到着データを受信し、前記到着データのQoS制約が基準を満たしたときに、前記主要帯域に及ぶ無線送信を介して前記統合無線インターフェース上で前記到着データを送信し、前記到着データの前記QoS制約が前記基準を満たすのに失敗し、前記補完帯域のチャネル状態が前記到着データの前記QoS制約を満たすことができるときに、前記補完帯域に及ぶ無線送信を介して前記統合無線インターフェース上で前記到着データを送信するステップ、または、
前記受信ポイントによって、データのQoS制約が基準を満たしたときに、前記主要帯域の承認ベースのリソース上で伝達されるように前記データをスケジュールし、前記受信ポイントによって、データの前記QoS制約が前記基準を満たさないとき、かつ前記補完帯域のチャネル状態が前記トラフィックの前記QoS制約を満たすことができるときに、前記補完帯域の承認なしのリソース上で前記データを受信するステップ、または、
前記統合無線インターフェース上で、送信パラメータの第1のセットに従って前記主要帯域に及ぶ第1の無線送信を実行し、前記統合無線インターフェース上で、送信パラメータの第2のセットに従って前記補完帯域に及ぶ第2の無線送信を実行するステップであって、送信パラメータの前記第2のセットは送信パラメータの前記第1のセットとは異なり、送信パラメータの前記第1のセットは、送信パラメータの前記第2のセットと異なる波形、フレーム構造、またはアクセス方式を含む、ステップ
を含む請求項8に記載の方法。
【請求項１４】
送信ポイントであって、
プロセッサと、
前記プロセッサによる実行のためのプログラミングを記憶するコンピュータ可読記憶媒体であって、前記プログラミングは請求項8から13のいずれか一項に記載の方法における動作を実現するための命令を含む、コンピュータ可読記憶媒体とを備える送信ポイント。
【請求項１５】
認可帯域および無認可帯域上でトラフィックを受信するための方法であって、
送信ポイントと受信ポイントとの間に延びる統合無線インターフェースを確立するステップであって、前記統合無線インターフェースはセルラー通信用に認可されている主要帯域と無認可通信用に確保されている補完帯域の両方に及ぶ無線信号を伝送するように適応され、前記主要帯域と前記補完帯域の両方に同じ無線アクセス技術(RAT)が使用される、ステップと、
前記受信ポイントによって、前記統合無線インターフェース上でトラフィックを受信するステップであって、前記トラフィックは、前記トラフィックのサービス品質(QoS)要件が第1の基準を満たすときに、前記主要帯域上で受信され、前記トラフィックは、前記トラフィックの前記QoS要件が第2の基準を満たすときに、前記補完帯域上で受信される、ステップとを含む方法。
【請求項１６】
前記トラフィックの前記QoS要件は、前記QoS要件が前記トラフィックの決定論的QoS制約を含むときに、前記第1の基準を満たす請求項15に記載の方法。
【請求項１７】
前記トラフィックの前記QoS要件は、前記QoS要件が前記トラフィックの統計的QoS制約を含むとき、かつ前記補完帯域における状態が前記トラフィックの前記統計的QoS制約を満たすのに十分であるときに、前記第2の基準を満たす請求項15に記載の方法。
【請求項１８】
受信ポイントであって、
プロセッサと、
前記プロセッサによる実行のためのプログラミングを記憶するコンピュータ可読記憶媒体であって、前記プログラミングは請求項15から17のいずれか一項に記載の方法における動作を実現するための命令を含む、コンピュータ可読記憶媒体とを備える受信ポイント。
【発明の詳細な説明】
【技術分野】
【０００１】
この特許出願は、発明の名称を「System and Method for Integrated Licensed-Unlicensed QoS-Driven Spectrum Access」とする、2014年5月16日に出願された米国仮出願第61/994,734号、および発明の名称を「System and Method for Communicating Traffic over Licensed or Un-Licensed Spectrums based on Quality of Service (QoS) Constraints of the Traffic」とする、2015年3月26日に出願された米国非仮出願第14/670,069号の優先権を主張し、それらはこれによってそれらの全体が再現されているかのように参照によりここに組み込まれる。
【０００２】
本発明は、概して、ネットワーク内のリソースの割り当てを管理すること、特定の実施形態において、トラフィックのサービス品質(QoS)制約に基づき認可スペクトルまたは無認可スペクトル上でトラフィックを伝達するためのシステムおよび方法に関する。
【背景技術】
【０００３】
行政主体は、異なる使用のために無線スペクトルの帯域を確保している。たとえば、米国連邦通信委員会(FCC)、国際電気通信連合(ITU)、および他の規制機関は、認可活動(たとえば、ラジオ、テレビ、衛星、移動体遠隔通信など)のためにスペクトルのいくつかの部分を確保し、一方、無認可活動のためにスペクトルの他の部分を確保している。認可スペクトルは、認可活動に従事する公共団体および/または民間団体によって合意された運用プロトコルだけでなく、規制機関によって規定された規制の対象となり得る。無認可通信用に確保されているスペクトルも、特に送信電力および共有アクセスに関して、対応する規制機関によって規定されている規制の対象になり得る。
【発明の概要】
【課題を解決するための手段】
【０００４】
技術的利点は、概して、トラフィックのサービス品質(QoS)制約に基づき認可スペクトルまたは無認可スペクトル上でトラフィックを伝達するためのシステムおよび方法を説明するこの開示の実施形態によって達成される。
【０００５】
技術的利点は、概して、トラフィックのサービス品質(QoS)制約に基づき認可スペクトルまたは無認可スペクトル上でトラフィックを伝達するためのシステムおよび方法を説明するこの開示の実施形態によって達成される。
【０００６】
一実施形態によれば、認可帯域および無認可帯域上でトラフィックを割り当てるための方法が提供される。この例では、方法は、送信ポイントと受信ポイントとの間に延びる統合無線インターフェースを識別することを含む。統合無線インターフェースは、セルラー通信用に認可されている主要帯域と無認可通信用に確保されている補完帯域の両方に及ぶ無線信号を伝送するように適応されている。方法は、統合無線インターフェース上で伝達されるトラフィックのためのトラフィック割り振りを生成することをさらに含む。トラフィック割り振りは、トラフィックのサービス品質(QoS)パラメータに従って主要帯域または補完帯域のいずれかで伝送されるようにトラフィックを割り振る。方法は、トラフィック割り振りを送信ポイントまたは受信ポイントに伝達することをさらに含む。この方法を実行するための装置も実現される。
【０００７】
実施形態による方法または装置の可能な実現形態において、トラフィック割り振りは、トラフィックが決定論的QoS制約に関連付けられているときに、主要帯域上で伝送されるようにトラフィックを割り振る。
【０００８】
この態様によるまたは実施形態の先行する実現形態のいずれかによる方法または装置の可能な実現形態において、トラフィック割り振りは、補完帯域がトラフィックの統計的QoS制約を満たすことができるときに、補完帯域上で伝送されるようにトラフィックを割り振る。
【０００９】
この態様によるまたは実施形態の先行する実現形態のいずれかによる方法または装置の可能な実現形態において、トラフィック割り振りは、補完帯域がトラフィックの統計的QoS制約を満たすことができないときに、主要帯域上で伝送されるようにトラフィックを割り振る。
【００１０】
この態様によるまたは実施形態の先行する実現形態のいずれかによる方法または装置の可能な実現形態において、トラフィック割り振りは、トラフィックのQoS制約が基準を満たしたときに、主要帯域上で伝送されるようにトラフィックを割り振る。トラフィック割り振りは、トラフィックのQoS制約が基準を満たさないとき、かつ補完帯域のチャネル状態がトラフィックのQoS制約を満たすのに十分であるときに、補完帯域上で伝送されるようにトラフィックを割り振る。
【００１１】
この態様によるまたは実施形態の先行する実現形態のいずれかによる方法または装置の可能な実現形態において、トラフィック割り振りは、補完帯域のチャネル状態がトラフィックのQoS制約を満たすのに十分でないときに、主要帯域上で伝送されるようにトラフィックを割り振る。
【００１２】
この態様によるまたは実施形態の先行する実現形態のいずれかによる方法または装置の可能な実現形態において、QoS制約は、待ち時間要件、ジッタ要件、パケット順序付け要件、パケットドロップ率、スループット要件、および誤り率のうちの少なくとも1つを含む。
【００１３】
この態様によるまたは実施形態の先行する実現形態のいずれかによる方法または装置の可能な実現形態において、トラフィックのQoS制約は、トラフィックの待ち時間要件が閾値を超えたときに、基準を満たす。
【００１４】
この態様によるまたは実施形態の先行する実現形態のいずれかによる方法または装置の可能な実現形態において、トラフィックのQoS制約は、トラフィックのジッタ要件が閾値を超えたときに、基準を満たす。
【００１５】
別の実施形態によれば、認可帯域および無認可帯域上でトラフィックを伝達するための方法が提供される。この例では、方法は、送信ポイントと受信ポイントとの間に統合無線インターフェースを確立することを含む。統合無線インターフェースは、セルラー通信用に認可されている主要帯域と無認可通信用に確保されている補完帯域の両方に及ぶ無線信号を伝送するように適応されている。方法は、スケジューラからトラフィック割り振りを受信することをさらに含む。トラフィック割り振りは、統合無線インターフェース上で伝達されるトラフィックをトラフィックのサービス品質(QoS)パラメータに従って主要帯域または補完帯域のいずれかに割り振る。方法は、トラフィック割り振りに従ってデータを統合無線インターフェース上で伝達することをさらに含む。この方法を実行するための装置も提供される。
【００１６】
別の実施形態による方法または装置の可能な実現形態において、トラフィック割り振りは、トラフィックのQoS制約が基準を満たしたときに、主要帯域上で伝送されるようにトラフィックを割り振る。トラフィック割り振りは、トラフィックのQoS制約が基準を満たさないとき、かつ補完帯域のチャネル状態がトラフィックのQoS制約を満たすのに十分であるときに、補完帯域上で伝送されるようにトラフィックを割り振る。
【００１７】
この態様によるまたは別の実施形態の先行する実現形態のいずれかによる方法または装置の可能な実現形態において、トラフィック割り振りは、補完帯域のチャネル状態がトラフィックのQoS制約を満たすのに十分でないときに、主要帯域上で伝送されるようにトラフィックを割り振る。
【００１８】
この態様によるまたは別の実施形態の先行する実現形態のいずれかによる方法または装置の可能な実現形態において、QoS制約は、待ち時間要件、ジッタ要件、パケット順序付け要件、パケットドロップ率、スループット要件、および誤り率のうちの少なくとも1つを含む。
【００１９】
この態様によるまたは別の実施形態の先行する実現形態のいずれかによる方法または装置の可能な実現形態において、トラフィックのQoS制約は、トラフィックの待ち時間要件が閾値を超えたときに、基準を満たす。
【００２０】
この態様によるまたは別の実施形態の先行する実現形態のいずれかによる方法または装置の可能な実現形態において、トラフィックのQoS制約は、トラフィックのジッタ要件が閾値を超えたときに、基準を満たす。
【００２１】
この態様によるまたは別の実施形態の先行する実現形態のいずれかによる方法または装置の可能な実現形態において、トラフィック割り振りに従ってデータを統合無線インターフェース上で伝達することは、送信ポイントによって、受信ポイントに宛てられた到着データを受信することと、到着データのQoS制約が基準を満たしたときに、主要帯域に及ぶ無線送信を介して統合無線インターフェース上で到着データを送信することと、到着データのQoS制約が基準を満たすのに失敗し、補完帯域のチャネル状態が到着データのQoS制約を満たすことができるときに、補完帯域に及ぶ無線送信を介して統合無線インターフェース上で到着データを送信することとを含む。
【００２２】
この態様によるまたは別の実施形態の先行する実現形態のいずれかによる方法または装置の可能な実現形態において、トラフィック割り振りに従ってデータを統合無線インターフェース上で伝達することは、受信ポイントによって、データのQoS制約が基準を満たしたときに、主要帯域の承認ベースのリソース上で伝達されるようにデータをスケジュールすることを含む。
【００２３】
この態様によるまたは別の実施形態の先行する実現形態のいずれかによる方法または装置の可能な実現形態において、トラフィック割り振りに従ってデータを統合無線インターフェース上で伝達することは、受信ポイントによって、データのQoS制約が基準を満たさないとき、かつ補完帯域のチャネル状態がトラフィックのQoS制約を満たすことができるときに、補完帯域の承認なしのリソース上でデータを受信することを含む。
【００２４】
この態様によるまたは別の実施形態の先行する実現形態のいずれかによる方法または装置の可能な実現形態において、トラフィック割り振りに従ってデータを統合無線インターフェース上で伝達することは、統合無線インターフェース上で、送信パラメータの第1のセットに従って主要帯域に及ぶ第1の無線送信を実行することと、統合無線インターフェース上で、送信パラメータの第2のセットに従って補完帯域に及ぶ第2の無線送信を実行することとを含み、送信パラメータの第2のセットは送信パラメータの第1のセットとは異なる。
【００２５】
この態様によるまたは別の実施形態の先行する実現形態のいずれかによる方法または装置の可能な実現形態において、ソフトウェア定義無線(SDR)命令を受信することをさらに含み、SDR命令は送信パラメータの第1のセットに従って主要帯域上で送信を実行し、送信パラメータの第2のセットに従って補完帯域上で送信を実行するように送信ポイントに命令する。
【００２６】
この態様によるまたは別の実施形態の先行する実現形態のいずれかによる方法または装置の可能な実現形態において、送信パラメータの第1のセットは、送信パラメータの第2のセットと異なる波形、フレーム構造、またはアクセス方式を含む。
【００２７】
この態様によるまたは別の実施形態の先行する実現形態のいずれかによる方法または装置の可能な実現形態において、送信ポイントは、ユーザ機器(UE)または基地局(BS)を含む。
【００２８】
さらに別の実施形態によれば、認可帯域および無認可帯域上でトラフィックを受信するための方法が提供される。この例では、方法は、送信ポイントと受信ポイントとの間に統合無線インターフェースを確立することを含む。統合無線インターフェースは、セルラー通信用に認可されている主要帯域と無認可通信用に確保されている補完帯域の両方に及ぶ無線信号を伝送するように適応されている。方法は、統合無線インターフェース上でトラフィックを受信することをさらに含む。トラフィックは、トラフィックのサービス品質(QoS)要件が第1の基準を満たすときに主要帯域上で受信され、トラフィックは、トラフィックのQoS要件が第2の基準を満たすときに補完帯域上で受信される。この方法を実行するための装置も提供される。
【００２９】
さらに別の実施形態による方法または装置の可能な実現形態において、トラフィックのQoS要件は、QoS要件がトラフィックの決定論的QoS制約を含むときに、第1の基準を満たす。
【００３０】
この態様によるまたはさらに別の実施形態の先行する実現形態のいずれかによる方法または装置の可能な実現形態において、トラフィックのQoS要件は、QoS要件がトラフィックの統計的QoS制約を含むとき、かつ補完帯域における状態がトラフィックの統計的QoS制約を満たすのに十分であるときに、第2の基準を満たす。
【００３１】
この態様によるまたはさらに別の実施形態の先行する実現形態のいずれかによる方法または装置の可能な実現形態において、受信ポイントは、ユーザ機器(UE)または基地局(BS)を含む。
【００３２】
本開示、およびその利点のより十分な理解のために、添付の図面に関してされた以下の説明への参照がここで行われる。
【図面の簡単な説明】
【００３３】
【図１】一実施形態の無線通信ネットワークの図を例示する。
【図２】適応可能な無線インターフェース上で主要スペクトルおよび補完スペクトルの両方の部分に及ぶ無線送信を伝送するように適応された一実施形態の無線ネットワークの図を例示する。
【図３】適応型無線インターフェースの主要帯域または補完帯域のいずれかで伝達されるようにトラフィックを割り振るための一実施形態の方法のフローチャートを例示する。
【図４】適応型無線インターフェースの主要帯域または補完帯域のいずれかでトラフィックを伝達するための一実施形態の方法のフローチャートを例示する。
【図５】適応型無線インターフェースの主要帯域または補完帯域のいずれかでトラフィックを伝達するための別の実施形態の方法のフローチャートを例示する。
【図６】QoS駆動統合スペクトルアクセスを提供するように適応されている一実施形態のネットワークアーキテクチャの図を例示する。
【図７】主要帯域および補完帯域の両方に及ぶ無線送信をサポートするための一実施形態の統合無線インターフェースの図を例示する。
【図８】その上にトラフィックをオフロードするために拡張スペクトルの割合を決定するための一実施形態のアルゴリズムのブロック図を例示する。
【図９】一実施形態のフレーム構造の図を例示する。
【図１０】一実施形態のコンピューティングプラットフォームの図を例示する。
【図１１】一実施形態の通信デバイスの図を例示する。
【発明を実施するための形態】
【００３４】
異なる図の中の対応する番号および記号は、一般に、違ったふうに示されるのでなければ、対応する部分を指す。図は、実施形態の関連する態様を明確に例示するように描かれ、必ずしも原寸通りに描かれていない。
【００３５】
この開示の実施形態の製作および使用は、以下で詳しく説明される。しかしながら、ここで開示されている概念は、幅広く様々な特定の文脈において具現化されることが可能であり、ここで説明されている特定の実施形態は、単に例示であり、請求項の範囲を限定する役割をしないことは理解されるべきである。さらに、添付の請求項によって定義されているようなこの開示の思想および範囲から逸脱することなく様々な変更、置換、および改変がここで行われ得ることが理解されるべきである。
【００３６】
ロングタームエボリューション(LTE)アドバンスト(LTE-A)プロトコルなどの、多くの無線遠隔通信プロトコルは、この開示を通して「主要帯域」と総称される、セルラー通信用に認可されている周波数帯域でのみ作動する。Wi-Fiプロトコルなどの他の無線遠隔通信プロトコルは、この開示を通して「補完帯域」と称される、無認可帯域でのみ作動する。「認可帯域」という用語は「主要帯域」という用語と入れ換えて使用され得るとともに、「無認可帯域」という用語は「補完帯域」という用語と入れ換えて使用され得る。特に、セルラー送信用に認可されている周波数帯域は、時々変化することがあり、「主要帯域」という用語は、この出願の出願後にセルラー送信用に再認可される周波数帯域を指すこともある。補完帯域は、産業、科学、および医療(ISM)帯域などの、非遠隔通信目的のために確保されているスペクトルを含み得る。主要帯域上で作動する遠隔通信プロトコルは、多くの場合、より信頼できるデータ送信を提供するが、補完帯域上で作動する遠隔通信プロトコルは、多くの場合、減少した信頼性にもかかわらず、低遅延高容量送信をサポートすることができる。
【００３７】
主要帯域および補完帯域の両方の部分に及ぶ無線送信を伝送するように構成されている統合無線インターフェースは、米国特許出願第14/669,333号(アトニードケット番号HW 91017895US02)において説明され、それはその全体が再現されているかのように参照によりここに組み込まれる。この開示の態様は、トラフィックのサービス品質(QoS)制約に基づきその統合無線インターフェースの主要帯域または補完帯域のいずれかでトラフィックを伝達するための技術を提供する。いくつかの実施形態において、決定論的QoS制約を有するトラフィックは、主要帯域に割り振られ、一方、統計的QoS制約を有するトラフィックは、補完帯域がトラフィックの統計的QoS制約を満たすことができるときに補完帯域に割り振られる。補完帯域における状態が、トラフィックの統計的QoS制約を満たすことを妨げる場合、トラフィックは、主要帯域に割り振られ得る。主要帯域および補完帯域にトラフィックを割り振るための他の基準も使用され得る。これらおよび他の詳細は、以下でより詳しく説明される。
【００３８】
ここで使用されているように、「統合無線インターフェース」という用語は、第5世代(5G)LTEシステムにおけるセルラー無線アクセスネットワーク(RAN)などの、一般の無線アクセス技術(RAT)に従って作動するインターフェースと整合し得るような、一般の物理および媒体アクセス制御(MAC)接続を共有する無線インターフェースを指す。いくつかの実施形態において、統合無線インターフェースは、セルラー通信用に認可されている主要帯域に対する1つの無線インターフェース構成および無認可通信用に確保されている補完帯域に対する1つの無線インターフェース構成を含む、少なくとも2つのスペクトルタイプ依存の無線インターフェース構成を含む。
【００３９】
図1は、データを伝達するためのネットワーク100を例示する。ネットワーク100は、カバーエリア101を有する基地局110、複数のモバイルデバイス120、およびバックホールネットワーク130を備える。図示されているように、基地局110は、モバイルデバイス120から基地局110への、およびその逆の、データを搬送する役割をする、モバイルデバイス120とのアップリンク(破線)および/またはダウンリンク(点線)接続を確立する。アップリンク/ダウンリンク接続上で搬送されるデータは、バックホールネットワーク130を用いてリモートエンド(図示せず)に/から伝達されるデータだけでなく、モバイルデバイス120間で伝達されるデータを含み得る。ここで使用されているように、「基地局」という用語は、強化型基地局(eNB)、マクロセル、フェムトセル、Wi-Fiアクセスポイント(AP)、または他の無線対応デバイスなどの、ネットワークへの無線アクセスを提供するように構成されている任意の構成要素(または構成要素の集合体)を指す。基地局は、1つまたは複数の無線通信プロトコル、たとえば、ロングタームエボリューション(LTE)、LTEアドバンスト(LTE-A)、高速パケットアクセス(HSPA)、Wi-Fi 802.11a/b/g/n/acなどに従って無線アクセスを提供し得る。ここで使用されているように、「移動デバイス」という用語は、ユーザ機器(UE)、移動局(STA)、および他の無線対応デバイスなどの、基地局との無線接続を確立することができる任意の構成要素(または構成要素の集合体)を指す。いくつかの実施形態において、ネットワーク100は、中継局、低電力ノードなどの、様々な他の無線デバイスを含み得る。
【００４０】
米国特許出願第14/669,333号(アトニードケット番号HW 91017895US02)において説明されているように、主要スペクトルおよび補完スペクトルの両方の部分に及ぶ無線送信をサポートする統合無線インターフェースは、送信ポイントと受信ポイントとの間で確立され得る。図2は、主要スペクトルおよび補完スペクトルの両方の部分に及ぶ無線送信を伝達するために適応された一実施形態の無線ネットワーク200を例示する。図示されているように、無線ネットワーク200は、送信ポイント210、受信ポイント230、およびスケジューラ270を備える。送信ポイント210は、無線送信を放射するように適応された任意のデバイスであってよく、受信ポイント230は、送信ポイント210によって送信された無線信号を受信するように適応された任意のデバイスであってよい。たとえば、送信ポイント210は、基地局、中継局、または移動局であってよい。同様に、受信ポイント230も、基地局、中継局、または移動局であってよい。
【００４１】
統合無線インターフェース213は、送信ポイント210と受信ポイント230との間で確立され、少なくとも主要帯域の一部および補完帯域の一部に及ぶ無線送信290を搬送するように適応されている。無線送信290は、任意のタイプの無線信号であってよい。たとえば、無線送信290は、ダウンリンク信号、アップリンク信号、デバイス間信号、無線バックホールリンク上で(たとえば、隣接基地局などの間で)伝達される信号、または送信ポイントと受信ポイントとの間で伝達される任意の他の無線信号であってよい。無線送信290は、また、異なる送信形式/特性を有し得る。たとえば、無線送信290は、ユニキャスト送信、マルチキャスト送信、またはブロードキャスト送信であってよい。別の例として、無線送信は、単一のアンテナから、または複数のアンテナから伝達されるシングルレイヤシグナリングおよび/またはマルチレイヤシグナリング、たとえば、シングルユーザ(SU)多入力多出力(MIMO)送信、マルチユーザMIMO送信などを含み得る。
【００４２】
スケジューラ270は、統合無線インターフェース213上のトラフィックをスケジュールするように適応された制御プレーンエンティティであってよい。いくつかの実施形態において、スケジューラ270は、送信ポイント210上の統合された構成要素である。たとえば、送信ポイント210は基地局であってよく、スケジューラ270は、ダウンリンク送信をスケジュールするように適応された基地局の内蔵された構成要素であってよい。他の実施形態において、スケジューラ270は、受信ポイント230上の統合された構成要素である。たとえば、受信ポイント230は基地局であってよく、スケジューラ270は、送信ポイント210からのアップリンク送信をスケジュールするように適応された基地局の内蔵された構成要素であってよい。さらに他の実施形態において、スケジューラ270は、送信ポイント210および受信ポイント210から独立している。一例として、スケジューラ270は、基地局のクラスタに対するスケジューリングを実行するように適応された集中型コントローラであってよい。別の例として、送信ポイント210および/または受信ポイント230は、低電力ノードであってよく、スケジューラ270は、低電力ノードに対するスケジューリングを実行するように適応されたマクロ基地局の内蔵された構成要素であってよい。さらなる別の例として、送信ポイント210および受信ポイント230は、モバイルデバイスまたはマシンであってよく、スケジューラ270は、送信ポイント210と受信ポイント230との間のデバイス間(D2D)またはマシン間(M2M)送信に対するスケジューリングを実行するように適応された基地局の内蔵された構成要素であってよい。他の実現も可能である。
【００４３】
一実施形態において、スケジューラ270は、主要帯域上で伝送されるように決定論的QoS制約を有するトラフィックをスケジュールし、補完帯域がトラフィックの統計的QoS制約を満たすことができるときに補完帯域上で伝送されるように統計的QoS制約を有するトラフィックをスケジュールし得る。ここで説明されているように、「決定論的QoS制約」は、トラフィックフロー内のすべてのパケットがQoS要件を満たす形態で伝達されることを要求するが、「統計的QoS制約」は、いくつかのパケット(たとえば、全パケットのうちの少し)がQoS要件に違反する形態で伝達される場合であっても満たされ得る。たとえば、決定論的待ち時間要件は、フロー内の各パケットが遅延限界内で伝達されるときに満たされる。逆に、統計的待ち時間要件は、ある割合のパケットが遅延限界内に伝達されるときに満たされ得る。
【００４４】
本開示の態様は、トラフィックのサービス品質(QoS)制約に基づき統合無線インターフェース上で伝達されるトラフィックを主要帯域または補完帯域のいずれかに割り振るための技術を提供する。図3は、スケジューラによって実行され得るような、主要帯域または補完帯域のいずれかで伝達されるようにトラフィックを割り振るための方法300を例示する。図示されているように、方法300はステップ310で始まり、スケジューラは送信ポイントと受信ポイントとの間に延びる統合無線インターフェースを識別する。次に、方法300はステップ320に進み、スケジューラは、トラフィックのQoS制約に基づき統合無線インターフェースの主要帯域または補完帯域のいずれかで伝達されるようにトラフィックを割り振るトラフィック割り振りを生成する。一実施形態において、決定論的QoS制約を有するトラフィックは、主要帯域に割り振られ、一方、統計的QoS制約を有するトラフィックは、補完帯域がトラフィックの統計的QoS制約を満たすことができるときに補完帯域に割り振られる。
【００４５】
他の実施形態において、トラフィックは、トラフィックのQoS制約が基準を満たす、たとえば、優先度レベルを超える、ジッタ要件が閾値を超える、パケット損失率要件が閾値を超える、待ち時間要件が閾値を超えるなどのときに主要帯域に割り振られる。そのような実施形態において、トラフィックは、補完帯域がトラフィックのQoS制約を満たすことができる限り、QoS制約が基準を満たすことに失敗したときに補完帯域に割り振られ得る。補完帯域が、トラフィックのQoS制約を満たすことができない場合、トラフィックは、主要帯域に割り振られる。
【００４６】
補完帯域がQoS制約(統計的またはそれ以外)を満たすことができるかどうかは、様々な要因に依存し得る。いくつかの実施形態において、与えられたQoS制約を満たすための補完帯域の能力は、少なくとも一部、補完帯域の状態に依存する。たとえば、補完帯域は、競合レベルが閾値よりも低いときに与えられたQoS制約を満たすことができ得る。別の例として、補完帯域は、補完帯域上で送信されるのを待っているトラフィックをバッファリングしているデータキューが閾値より低いときに与えられたQoS制約を満たすことができ得る。他の実施形態において、与えられたQoS制約を満たすための補完帯域の能力は、少なくとも一部、補完帯域の構成、たとえば、listen-before-talkパラメータ、送信電力制約、補完帯域に及ぶスペクトルの幅、競合ベースのアクセスに利用可能な承認なしのリソースの量、などに依存する。
【００４７】
トラフィック割り振りが生成された後、方法300はステップ330に進み、スケジューラは、トラフィック割り振りを送信ポイントまたは受信ポイントに伝達する。スケジューラが送信ポイントまたは受信ポイントの内蔵された構成要素であるときに、トラフィック割り振りを伝達するステップは、スケジューリングポリシーを実現すること、たとえば、トラフィック割り振りをスケジューリングテーブルに記憶することなどを含み得る。
【００４８】
いくつかの実施形態において、トラフィック割り振りは、統合無線インターフェースの確立の前に生成され、および/または送信ポイントもしくは受信ポイントに伝達される。たとえば、トラフィック割り振りは、基地局とUEとの間に無線アクセスリンクが確立される前、たとえば、ハンドオーバーの前、リンク確立の前、などに基地局に伝達され得る。そのような実施形態において、統合無線インターフェースを識別するステップは、その上にトラフィック割り振りを適用する無線インターフェース、たとえば、アップリンクインターフェース、ダウンリンクインターフェース、セル端ユーザへの無線インターフェース、特定の特性または能力を有するデバイス間に確立された無線インターフェースなどを識別または分類することを含み得る。たとえば、トラフィック割り振りは、あるクラスのUE、たとえば、セル端UE、次世代UEなどに延びる無線インターフェース上でトラフィックを伝達するためのスケジューリングポリシーのセットを適用し得る。
【００４９】
図4は、送信ポイントまたは受信ポイントによって実行され得るような、スケジューラから受信されたトラフィック割り振りに基づき主要帯域または補完帯域のいずれかでトラフィックを伝達するための方法400を例示している。図示されているように、方法400はステップ410で始まり、統合無線インターフェースは、送信ポイントと受信ポイントとの間に確立される。次に、方法400はステップ420に進み、トラフィック割り振りがスケジューラから受信される。トラフィック割り振りは、トラフィックを、トラフィックのQoS制約に基づき主要帯域または補完帯域のいずれかに割り振る。その後、方法400はステップ430に進み、データはトラフィック割り振りに基づき統合無線インターフェース上で伝達される。
【００５０】
いくつかの実施形態において、トラフィックは、トラフィックの1つまたは複数のQoSパラメータに基づき主要帯域または補完帯域のいずれかに割り振られ得る。図5は、送信ポイントによって実行され得るような、トラフィックのQoSパラメータに基づき主要帯域または補完帯域のいずれかでトラフィックを伝達するための方法500を例示する。図示されているように、方法500はステップ510で始まり、パケットが送信ポイントによって受信される。次に、方法500はステップ520に進み、送信ポイントは、パケットの優先度レベルが閾値を超えたかどうかを決定する。もしそうならば、パケットは、ステップ570において主要帯域上で送信される。そうでなければ、方法はステップ530に進み、送信ポイントは、パケットが決定論的QoS制約に関連付けられているかどうかを決定する。もしそうならば、パケットは、ステップ570において主要帯域上で送信される。そうでなければ、方法はステップ540に進み、送信ポイントは、補完帯域がパケットの統計的QoS制約を満たすことができるかどうかを決定する。そうでなければ、パケットは、ステップ570において主要帯域上で送信される。補完帯域がパケットの統計的QoS制約を満たすことができる場合、パケットは、ステップ550において、補完帯域上で送信される。
【００５１】
いくつかの実施形態において、トラフィックフローは、主要帯域および補完帯域上で多重化され得る。そのような実施形態において、異なる割合のトラフィックが、トラフィックのQoS制約に基づきそれぞれの主要帯域および補完帯域に割り当てられ得る。図6は、QoS駆動統合スペクトルアクセスを提供するように適応されている一実施形態のネットワークアーキテクチャを例示する。この例では、第1のUE(UE1)は、統計的QoS制約の第1のセット(γ1、δ1、ε1)を有するが、第2のUE(UE2)は、統計的QoS制約の第1のセットと異なる統計的QoS制約の第2のセット(γ2、δ2、ε2)を有する。図示されているように、第1のUEに関連付けられているトラフィックは、主要スペクトルおよび補完スペクトルの両方の上で多重化されるが、第2のUEに関連付けられているトラフィックは、補完スペクトル上で排他的に伝達される。ブロックされた無認可リソースは、第1のUEまたは第2のUEと補完帯域の承認なしのリソースにアクセスすることを試みている他のデバイスの送信の間の衝突を示し得る。
【００５２】
いくつかの実施形態において、無線ネットワークは、スペクトル(認可および無認可)のプールを作成し、ネットワークの容量および信頼性に従ってプールを通じてトラフィックをルーティングし得る。認可および無認可プールにおけるトラフィックは、周波数帯域の特性および各帯域における予想トラフィックに従って選択された異なる波形を使用して送信され得る。
【００５３】
たとえば、他のユーザ、および/または電子レンジなどの器具によって引き起こされる干渉、または同じもしくは異なる運営者によって制御されているかもしくはWi-Fiシステムなどの他のRATに属している他の5G RATの存在により、無認可スペクトルは認可スペクトルよりも信頼性が低い可能性があるという認識とともにルーティングが行われ得る。
【００５４】
この開示の態様は、次世代または第5世代の無線インターフェースなどの、統合無線インターフェース(AI)を介して認可スペクトル帯域および無認可スペクトル帯域の両方に及ぶ無線送信を実行するためのシステムおよび方法を開示する。この開示の態様は、全体のシステム容量を増加させ得るが、アプリケーション特有のサービス品質(QoS)要件も満たす。この開示の態様は、無線ネットワークを無認可スペクトルに拡張して、ネットワーク容量を改善する。この開示の態様は、認可スペクトルと無認可スペクトルとの間の動的な切り替え技術、スペクトルをまたぐ柔軟な負荷分散、認可スペクトル上の最小化された干渉、および認可スペクトルに対する需要の減少を提供する。認可スペクトルは、主要帯域および/またはコア帯域/スペクトルとも称され、高優先度トラフィックおよび決定論的QoS要件を有するトラフィックに使用され得る。これは、統計的QoS要件を有するトラフィックのためのフォールバックスペクトル(たとえば、必要に応じて)としての役割をし得る。無認可スペクトルは、補完帯域および/または補助帯域/スペクトルとも称され、トラフィック・オフローディングに使用されることが可能であり、いくつかの実施形態において、ベストエフォート型トラフィックおよび統計的QoS要件を有するトラフィックに使用されることが可能である。
【００５５】
図7は、主要帯域および補完帯域の両方に及ぶ無線送信をサポートするための一実施形態の統合無線インターフェースを例示する。主要帯域は、制御シグナリング、緊急サービス、セキュリティ、ネットワークアクセス、放送、同期チャネル、および決定論的QoS要件を有するトラフィックなどの、より高い優先度のトラフィックに使用され得る。無認可スペクトルは、統計的QoS要件を有するトラフィックだけでなく、トラフィック・オフローディングの目的のために日和見的に、またベストエフォート型(遅延耐性)トラフィック(たとえば、動画、画像、音楽などのコンテンツダウンロード)に使用され得る。ネットワーク要素は、トラフィックタイプおよび/またはアプリケーション特有のQoS要件を満たすために主要帯域と補完帯域との間でトラフィックを動的に切り替えることができる。これは、負荷を意識したスペクトル拡張/収縮を提供する。
【００５６】
一実施形態において、補完スペクトルは、主要帯域からのデータオフローディング・トラフィックなどの様々なタスク、および負荷を意識した需要ベースの適応的スペクトル拡張-収縮に使用される。異なるスペクトル帯域が使用されているので、異なる無線インターフェース(AI)が、主要帯域および補完帯域に使用されることが可能であることに留意すべきである。代替的に、同じ無線インターフェースは、主要帯域および補完帯域の両方に及ぶ送信を搬送するために使用されることが可能である。一実施形態において、スペクトルタイプ依存のSoftAIは、主要帯域および補完帯域のために異なる送信パラメータ(たとえば、物理層(PHY)設計)を提供する。これは、異なる波形、異なるアクセス方式、フレーム構造、チャネル化などを可能にし得る。送信ポイント(TP)連携およびUE連携を考慮した無認可スペクトルに対する需要を決定するために仮想リソース関連付け(V-RA)ベースの共同無線リソース管理(RRM)方式が使用されることが可能である。認可スペクトルのフォールバック作動のための主要性能指標(KPI)監視メカニズムは、QoS要件が満たされることを確実にするために追加され得る。
【００５７】
図8は、その上にトラフィックをオフロードする拡張スペクトルの割合を決定するための一実施形態のアルゴリズムのブロック図を例示する。認可トラフィック・オフローディングに使用される補完帯域の割合は、公正および最適化された性能のために、たとえば、無認可帯域における平均トラフィック負荷、認可スペクトルおよび無認可スペクトルにおけるチャネル状態、および最低速度、遅延への敏感さ、優先度、および他のものなどの認可トラフィックQoS要件などの要因に基づき他の共存するシステムに対する影響を減少させるために、柔軟にかつ動的に調整されることが可能であり、一方、負荷を意識したトラフィック・オフローディングを通じて5G RATの性能を高める。
【００５８】
スペクトル感知は、トラフィック・オフローディングに日和見的に使用されるべき無認可スペクトルの未使用部分を識別するために使用されることが可能である。OFDMは、最も一般的に使用されているマルチキャリア波形であるが、そのパワースペクトル密度の高い帯域外サイドローブに悩まされることが知られている。これは、共存するシステムに対する隣接チャネル干渉問題を引き起こし、保護帯域の使用を必要とし得る。代替的に、補完帯域への動的アクセスは、より多くのスペクトルが含まれるスケーラブルなベースバンド波形の使用を必要とし得る。
【００５９】
フィルタリングは、OFDMの帯域外放射を減少させるために使用されることが可能である。特定の周波数フラグメントのために動的に設計される適応フィルタを有するFiltered-OFDM(F-OFDM)は、無認可スペクトルの非連続フラグメントに動的にアクセスするために、よりスペクトルが効率的でスケーラブルな波形とすることが可能である。
【００６０】
OFDM/OQAMは、OFDM波形よりも多くのスペクトルが含まれるフィルタバンク・マルチキャリア(FBMC)波形であり(保護帯域または巡回プレフィックスを必要としない)、また無認可スペクトルなどの動的スペクトル共有環境において、より高い柔軟性をもたらし、より高い複雑度およびより多くの待ち時間と引き換えにF-OFDMよりも良い性能をもたらし得る。
【００６１】
この開示の態様は、主要帯域におけるOFDMなどの実証済みマルチキャリア波形および/または補完帯域におけるF-OFDMまたはFBMC波形などの動的スペクトル共有環境により適した波形の使用を組み合わせるスペクトルタイプ依存マルチキャリアシステムを提供する。
【００６２】
拡張された無認可スペクトルにおけるスペクトルアクセスは、listen-before-talk(LBT)規制などのある領域におけるいくつかの規制に従うために要求され得る。補完帯域における適応的なおよび柔軟なフレーム構造は、測定および同期チャネルの送信を可能にするだけでなく、LBTメカニズムなどの規制の制限に適合することができる。一実施形態において、競合のないアクセスおよび競合ベースのアクセスのための持続時間が定期的なチャネル感知結果に従って調整されることが可能である無認可スペクトルにおけるフレーム構造は、図9に図示されているとおりである。
【００６３】
スケジュールされた承認ベースのアクセスは、主要帯域上で使用され得るが、競合ベースのアクセスは、補完帯域上で使用され得る。補完帯域上で競合ベースのアクセスを使用することは、スペクトルが、共存するシステムと共有されることを可能にし得る。一実施形態において、2つの競合レベルが定義されることが可能である。第1のものは、無線アクセス技術(RAT)間競合であり、一方、第2のものは、RAT内競合である。RAT間競合において、競合は、補完帯域を使用する異なる無線アクセス技術の間(たとえば、5G RATと他のRATとの間)である。RAT内競合において、競合は、類似の技術エンティティ(たとえば、同じおよび/または異なる5G運営者によるベストエフォート型トラフィックコントローラを有する5Gネットワークエンティティ)の間である。
【００６４】
一実施形態において、特別に設計されたMACプロトコルが、補完帯域を効率的に使用し、補完帯域上の2つのレベルの競合を適切に処理するために使用される。これは、LBTランダムアクセス手順のいくつかの形態を許容することが可能であり、中心エンティティは、5G RATが無認可スペクトル上の平均トラフィック負荷に基づき補完帯域を使用すべきかどうかを決定し得る。無認可帯域に軽い負荷がかかっていると感知されたときに、中心エンティティは、5G RATが無認可スペクトルにアクセスする確率を適応的に増加させることが可能であり、その逆も可能である。そのような中心エンティティは、RAT内競合を管理するためにスケジュールされたアクセスまたは競合ベースのアクセスのいずれかを使用することができる。
【００６５】
集中型コントローラは、アプリケーションシナリオ、トラフィックタイプ、QoS、およびセキュリティ要件に依存してどのUEによってどのスペクトルが使用されるべきかを選択するために使用されることが可能である。代替的に、UEが決定プロセスに参加することを可能にするために規則および条件がUEにプッシュされることが可能である。
【００６６】
例示的な一シナリオにおいて、音声、事業者特有のサービス、または高セキュリティデータベアラなどの高いQoSのデータは、QoS要件が満たされることを確実にするために認可スペクトル上で送信されることが可能である。一方、弾性トラフィック、たとえば、ベストエフォート型および遅延耐性データベアラは、無認可(および信頼性の低い)スペクトル上で転送されることが可能である。集中型コントローラは、無認可帯域上でもたらされるQoSを連続的にまたは定期的に測定し、期待されるQoSが保証されることが可能でないときはいつでもUEおよびトラフィックを認可スペクトルに動的に切り替えて戻すことができる。QoS要件が無認可スペクトル上で満たされることが可能でないときはいつでも認可スペクトルへのフォールバックが起こることを確実にするために、フォールバックメカニズムが利用されることが可能である。
【００６７】
UEiが3つのパラメータ(γi、δi、εi)によって捕捉されるQoS特性を持つ周期的トラフィックを有すると仮定し、γはパケット到着レートであり、δは最大許容ジッタ(2つの連続するパケット出発の時刻と2つの連続するパケット到着の時刻との間の差)、およびεはジッタ違反の許容可能確率である。
【００６８】
決定論的QoS保証を有するUEについては、εiはゼロに等しい。この場合、ジッタ違反のためのマージンがないので、集中型コントローラは、認可スペクトルを使用するようにUEに決定論的QoSを割り振る。スペクトルリソースの効率的な使用を達成するために、集中型コントローラは、統計的QoS要件を有するUEに対して無認可スペクトルリソースを割り振り得る。無認可スペクトルは、信頼できないものであり得るので、そのリソースは、あるブロッキングレートqで特徴付けられる。集中型コントローラは、無認可スペクトル上の平均ブロッキングレートを監視することができ、これらの特性に基づき、QoSが許容可能なレベルの範囲内にある、たとえば、q<εiである限り無認可スペクトルを使用するようにUEに統計的QoSを割り振り得る。
【００６９】
この技術分野の当業者は、既存のソリューションは、同時に、全体のシステム容量を最大化し、多様なトラフィックタイプに対するQoS制約(たとえば、弾性対非弾性のトラフィック)が満たされていることを確実にしながら、統合無線インターフェースを使用して認可スペクトル帯域および無認可スペクトル帯域の両方を効率よく利用する統合スペクトルアクセス方法を可能にするソリューションを提供しないことを理解するであろう。上述のソリューションは、5G無線アクセスネットワークの性能を向上させるために、アプリケーション特有のQoS特性を利用して、認可スペクトルおよび無認可スペクトルの両方を効率よく利用することができる。
【００７０】
図10は、ここで開示されているデバイスおよび方法を実現するために使用され得る処理システムのブロック図を例示する。特定のデバイスは、図示されている構成要素のすべて、または構成要素のサブセットのみを利用し得るとともに、統合のレベルは、デバイス毎に変わり得る。さらに、デバイスは、複数の処理ユニット、プロセッサ、メモリ、送信機、受信機などの、構成要素の複数のインスタンスを含み得る。処理システムは、スピーカー、マイクロフォン、マウス、タッチスクリーン、キーパッド、キーボード、プリンタ、ディスプレイ、および同様のものなどの、1つまたは複数の入出力デバイスが設けられた処理ユニットを備え得る。処理ユニットは、中央処理ユニット(CPU)、メモリ、大容量記憶デバイス、ビデオアダプタ、およびバスに接続されているI/Oインターフェースを含み得る。
【００７１】
バスは、メモリバスまたはメモリコントローラ、周辺機器バス、ビデオバス、または同様のものを含む任意のタイプのいくつかのバスアーキテクチャの1つまたは複数であり得る。CPUは、任意のタイプの電子データプロセッサを備え得る。メモリは、スタティック・ランダムアクセスメモリ(SRAM)、ダイナミック・ランダムアクセスメモリ(DRAM)、同期DRAM(SDRAM)、リードオンリーメモリ(ROM)、これらの組合せ、または同様のものなどの任意のタイプのシステムメモリを備え得る。一実施形態において、メモリは、起動時に使用するためのROM、およびプログラムを実行しながら使用するためのプログラムおよびデータ記憶のためのDRAMを含み得る。
【００７２】
大容量記憶デバイスは、データ、プログラム、および他の情報を記憶し、データ、プログラム、および他の情報をバスを介してアクセス可能にするように構成されている任意のタイプの記憶デバイスを備え得る。大容量記憶デバイスは、たとえば、ソリッドステートドライブ、ハードディスクドライブ、磁気ディスクドライブ、光ディスクドライブ、または同様のもののうちの1つまたは複数を備え得る。
【００７３】
ビデオアダプタおよびI/Oインターフェースは、外部入力および出力デバイスを処理ユニットに結合するためにインターフェースを提供する。例示されているように、入力および出力デバイスの例は、ビデオアダプタに結合されたディスプレイ、およびI/Oインターフェースに結合されたマウス/キーボード/プリンタを含む。他のデバイスは、処理ユニットに結合され得るとともに、追加のまたはより少ないインターフェースカードが利用され得る。たとえば、ユニバーサルシリアルバス(USB)(図示せず)などのシリアルインターフェースは、プリンタ用のインターフェースを提供するために使用され得る。
【００７４】
処理ユニットは、イーサネット(登録商標)ケーブル、または同様のものなどの、有線リンク、および/またはノードもしくは異なるネットワークにアクセスするための無線リンクを備え得る、1つまたは複数のネットワークインターフェースも含む。ネットワークインターフェースは、処理ユニットがネットワークを介してリモートユニットと通信することを可能にする。たとえば、ネットワークインターフェースは、1つまたは複数の送信機/送信アンテナおよび1つまたは複数の受信機/受信アンテナを介して無線通信を提供し得る。一実施形態において、処理ユニットは、データ処理、および他の処理ユニット、インターネット、リモート記憶設備、または同様のものなどのリモートデバイスとの通信のためにローカルエリアネットワークまたは広域ネットワークに結合される。
【００７５】
図11は、上で説明されている1つまたは複数のデバイス(たとえば、UE、NB、など)と同等のものであり得る通信デバイス1100の一実施形態のブロック図を例示する。通信デバイス1100は、図11に図示されているように配置されてもよい(または配置されなくてもよい)、プロセッサ1104、メモリ1106、および複数のインターフェース1110、1112、1114を含み得る。プロセッサ1104は、計算および/または他の処理関係タスクを実行することができる任意の構成要素であってよく、メモリ1106は、プロセッサ1104のためのプログラミングおよび/または命令を記憶することができる任意の構成要素であってよい。インターフェース1110、1112、1114は、通信デバイス1100がセルラー信号を使用して通信することを可能にする任意の構成要素または構成要素の集合体であってよく、セルラーネットワークのセルラー接続上で情報を受信および/または送信するために使用され得る。
【００７６】
説明は詳細になされたが、添付の請求項によって定義されているようなこの開示の精神および範囲から逸脱することなく様々な変更、置換、および改変が行われることが可能であることが理解されるべきである。さらに、この技術分野の当業者は、この開示から、現在存在している、または後に開発される、プロセス、マシン、製造、組成物、手段、方法、またはステップは、ここで説明されている対応する実施形態と実質的に同じ機能を実行し、または実質的に同じ結果を達成し得ることを容易に理解するので、本開示の範囲は、ここで説明されている特定の実施形態に制限されることを意図されていない。したがって、添付の請求項は、その範囲内に、そのようなプロセス、マシン、製造、組成物、手段、方法、またはステップを含めることを意図されている。
【符号の説明】
【００７７】
100  ネットワーク
101  カバーエリア
110  基地局
120  モバイルデバイス
130  バックホールネットワーク
200  無線ネットワーク
210  送信ポイント
213  統合無線インターフェース
230  受信ポイント
270  スケジューラ
290  無線送信
300  方法
400  方法
500  方法
1100  通信デバイス
1104  プロセッサ
1106  メモリ
1110、1112、1114  インターフェース
【図１】
0006433088.tif 000002
【図２】
0006433088.tif 000003
【図３】
0006433088.tif 000004
【図４】
0006433088.tif 000005
【図５】
0006433088.tif 000006
【図６】
0006433088.tif 000007
【図７】
0006433088.tif 000008
【図８】
0006433088.tif 000009
【図９】
0006433088.tif 000010
【図１０】
0006433088.tif 000011
【図１１】
0006433088.tif 000012